(57)【要約】【課題】ガス絶縁電気機器の絶縁ガスの漏洩を早期に検出することができるガス絶縁電気機器設備を提供するものである。【解決手段】実施形態のガス絶縁電気機器設備は、建屋内に形成され、頂点を有し、前記頂点を含む断面形状は、前記頂点を基点として前記建屋の底面に対する２つの斜線を有する設置面と、内部に絶縁ガスが封入され、前記設置面に配置される電気機器と、検出部が前記斜線の最低部に設置されるガス漏洩検出器とを備える。【選択図】図１
2014204516.tif 000002
【特許請求の範囲】
【請求項１】
建屋内に形成され、頂点を有し、前記頂点を含む断面形状は、前記頂点を基点として前記建屋の底面に対する２つの斜線を有する設置面と、
内部に絶縁ガスが封入され、前記設置面に配置される電気機器と、
検出部が前記斜線の最低部に設置されるガス漏洩検出器と
を備えるガス絶縁電気機器設備。
【請求項２】
前記設置面に設けられ、前記設置面を複数の区画に分割する仕切り壁をさらに有し、
前記ガス漏洩検出器は、前記電気機器が配置される前記区画ごとに設置される請求項１に記載のガス絶縁電気機器設備。
【請求項３】
内部に絶縁ガスが封入され、建屋内に収納される電気機器と、
上部が開放し、前記建屋の底面と前記電気機器とが接する面を囲む囲いと、
検出部が前記囲い内に設置されるガス漏洩検出器と
を備えるガス絶縁電気機器設備。
【発明の詳細な説明】
【技術分野】
【０００１】
本発明の実施形態は、ガス絶縁電気機器設備に関する。
【背景技術】
【０００２】
変圧器やガス絶縁開閉装置といった、絶縁媒体としてＳＦ６（六フッ化硫黄）等の絶縁ガスを用いるガス絶縁電気機器では、工場での試験時には主に蓄積法やトレース法を用いて絶縁ガスが漏洩していないか否かの確認が行われる。
【０００３】
一方、ガス絶縁電気機器が設置され運用が開始された後は、ガス絶縁電気機器のガス区画ごとに設けられたガス圧力計やガス密度スイッチにより定期的に絶縁ガスの漏洩の存否が確認されることが主流である。
【０００４】
ガス圧力計やガス密度スイッチを用いる場合、ガス絶縁電気機器内部の絶縁ガスの圧力が一定値以下になったときに警報が発せられる。
【０００５】
そのため、絶縁ガスの漏洩が発生してから運用者が気づくまでに多少のタイムラグが存在する。
【０００６】
ＳＦ６ガスは地球温暖化係数（ＧＷＰ）が２３９００と極めて高く、絶縁ガスの機器からの漏洩はガス絶縁電気機器の絶縁性能低下や地球温暖化の促進に繋がる可能性があるため、早期に発見されることが求められる。
【先行技術文献】
【特許文献】
【０００７】
【特許文献１】特開昭５４−６７６５３号公報
【発明の概要】
【発明が解決しようとする課題】
【０００８】
そこで、本発明の実施形態はこれらの課題を解決するために、ガス絶縁電気機器の絶縁ガスの漏洩を早期に検出することができるガス絶縁電気機器設備を提供するものである。
【課題を解決するための手段】
【０００９】
上記課題を達成するために、実施形態のガス絶縁電気機器設備は、建屋内に形成され、頂点を有し、前記頂点を含む断面形状は、前記頂点を基点として前記建屋の底面に対する２つの斜線を有する設置面と、内部に絶縁ガスが封入され、前記設置面に配置される電気機器と、検出部が前記斜線の最低部に設置されるガス漏洩検出器とを備える。
【図面の簡単な説明】
【００１０】
【図１】第１の実施形態に係るガス絶縁電気機器設備の構成を示す断面図。
【図２】第１の実施形態に係るガス絶縁電気機器設備の設置面の平面図の一例。
【図３】第１の実施形態に係るガス絶縁電気機器設備の設置面（複数の最高部・最低部箇所がある）の平面図の一例。
【図４】第１の実施形態に係るガス絶縁電気機器設備の変形例。
【図５】第２の実施形態に係るガス絶縁電気機器設備の構成を示す断面図。
【図６】第２の実施形態に係るガス絶縁電気機器設備の変形例。
【図７】第３の実施形態に係るガス絶縁電気機器設備の構成を示す断面図。
【発明を実施するための形態】
【００１１】
以下、実施形態について図面を用いて説明する。
【００１２】
（第１の実施形態）
図１は第１の実施形態に係るガス絶縁電気機器設備の構成を示す断面図、図２および図３は第１の実施形態に係るガス絶縁電気機器設備の設置面の平面図の一例である。
【００１３】
本実施形態のガス絶縁電気機器設備は、建屋１、設置面２、ガス絶縁電気機器３、制御盤４、ガス漏洩検出器５を備える。
【００１４】
建屋１内には設置面２が形成される。設置面２は図１に示すように頂点を有し、頂点を含む断面形状が、その頂点を基点として建屋１の底面に対する２つの斜線を有する形状である。具体的には、三角錐や四角錐などの角錐形状あるいは円錐形状が挙げられる。図２は設置面２の形状が四角錐形状である場合の一例を示しており、中央部４０を有する。
【００１５】
また、設置面２は角錐や円錐を複数組み合わせた形状でもよく、図３は設置面２の形状が複数の四角錐で構成される場合の一例を示している。
【００１６】
図３において、設置面２は中央部４０、最高部（または最低部）４１を有する。
【００１７】
ガス絶縁電気機器３は、内部に空気よりも比重の大きい絶縁ガス６が封入されるガス絶縁開閉装置７およびガス絶縁変圧器８を有する。絶縁ガス６としては例えばＳＦ６（六フッ化硫黄）ガスが挙げられ、ＳＦ６ガスの比重は空気の５倍である。
【００１８】
ガス絶縁開閉装置７とガス絶縁変圧器８とは、母線９により接続され、設置面２上に建屋１の底面に対して垂直に配置される。
【００１９】
制御盤４は、ガス絶縁電気機器３の制御を行う装置であり、ガス絶縁電気機器３と同様に設置面２上に建屋１の底面に対して垂直に配置される。
【００２０】
ただし、ガス絶縁電気機器３はガス絶縁開閉装置７やガス絶縁変圧器８に限定されず、内部に空気よりも比重の大きい絶縁ガス６が封入される電気機器であればよい。
【００２１】
ガス漏洩検出器５は、ガス絶縁電気機器３から漏洩した絶縁ガス６を検出部１０により検出する検出器であり、具体的にはリークディテクターが挙げられる。
【００２２】
ガス漏洩検出器５の検出部１０は、設置面２を断面で見た場合の斜線の最低部に設置される。以下、「設置面２を断面で見た場合の斜線の最低部」を単に「最低部」と呼ぶ。
【００２３】
このように構成される第１の実施形態に係るガス絶縁電気機器設備において、ガス絶縁電気機器３からの絶縁ガス６の漏洩が発生した場合、絶縁ガス６は空気よりも比重が大きいため、漏洩量が微量であっても最低部に向けて流れ、最低部に滞留する。
【００２４】
本実施形態では、ガス漏洩検出器５の検出部１０が、絶縁ガス６が滞留する最低部に設置されるため、漏洩量が微量であったとしてもガス絶縁電気機器３から漏洩した絶縁ガス６を早期に検出することが可能となる。
【００２５】
早期に絶縁ガス６の漏洩が検出可能となることで、ガス絶縁電気機器３の絶縁性能低下や地球温暖化の促進を防止することに繋がる。
【００２６】
なお、図４に示すように設置面２は、建屋１の底面に向けて頂点を有する形状でもよい。このように構成されることで、設置面２が角錐形状や円錐形状である場合、ガス漏洩検出器５は最低部である頂点の１箇所にのみ設置されることになる。そのため、ガス漏洩検出器５の設置台数を減らすことができる。
【００２７】
（第２の実施形態）
第２の実施形態の構成について、図面を用いて説明する。なお、第１の実施形態と同一部分は同一符号で示し、説明は省略する。
【００２８】
図５は、第２の実施形態に係るガス絶縁電気機器設備の構成を示す断面図である。
【００２９】
この第２の実施形態が、第１の実施形態と異なる点は仕切り壁２０をさらに有することにある。
【００３０】
仕切り壁２０は設置面２上に設けられ、仕切り壁２０により設置面２は複数の区画２１ａ，２１ｂ，２１ｃに分割される。
【００３１】
具体的には、ガス絶縁電気機器３を構成するガス絶縁開閉装置７やガス絶縁変圧器８といった機器ごとに１つの区画となるように仕切り壁２０が設けられる。また、ガス絶縁電気機器３を三相のセットにした回線ごと、あるいは複数の回線で構成される回線グループごとに１つの区画となるように仕切り壁２０が設けられてもよい。
【００３２】
ガス漏洩検出器５は、仕切り壁２０により分割された区画のうち、ガス絶縁電気機器３が配置される区画ごとに設置される。すなわち、図５では区画２１ａおよび２１ｂにガス漏洩検出器５が設置される。
【００３３】
このように構成される第１の実施形態に係るガス絶縁電気機器設備においては、仕切り壁２０により設置面２が複数の区画に分割され、ガス絶縁電気機器３が配置される区画ごとにガス漏洩検出器５が設置されることで、区画ごとに絶縁ガス６の漏洩の存否を確認することができる。
【００３４】
そのため、第１の実施形態により得られる効果に加えて絶縁ガス６の漏洩発生箇所を推定することができる。
【００３５】
なお、図５では設置面２は、建屋１の天井に向けて頂点を有する形状であるが、図６に示すように建屋１の底面に向けて頂点を有する形状であってもよい。
【００３６】
（第３の実施形態）
第３の実施形態の構成について、図面を用いて説明する。
【００３７】
図７は、第３の実施形態に係るガス絶縁電気機器設備の構成を示す断面図である。
【００３８】
本実施形態のガス絶縁電気機器設備は、建屋１、ガス絶縁電気機器３、制御盤４、ガス漏洩検出器５、囲い３０を備える。
【００３９】
建屋１内に収納されたガス絶縁電気機器３は、内部に空気よりも比重の大きい絶縁ガス６が封入されるガス絶縁開閉装置７およびガス絶縁変圧器８を有する。絶縁ガス６としては例えばＳＦ６（六フッ化硫黄）ガスが挙げられ、ＳＦ６ガスの比重は空気の５倍である。
【００４０】
ガス絶縁開閉装置７とガス絶縁変圧器８とは、母線９により接続され、建屋１の底面に対して垂直に配置される。
【００４１】
制御盤４は、ガス絶縁電気機器３の制御を行う装置であり、ガス絶縁電気機器３と同様に建屋１の底面に対して垂直に配置される。
【００４２】
ただし、ガス絶縁電気機器３はガス絶縁開閉装置７やガス絶縁変圧器８に限定されず、内部に空気よりも比重の大きい絶縁ガス６が封入される電気機器であればよい。
【００４３】
囲い３０は、上部が開放しており、建屋１の底面とガス絶縁電気機器３とが接する面を囲むように配置される。
【００４４】
なお、囲い３０は底部を有する箱状の形状であってもよい。
【００４５】
ガス漏洩検出器５は、ガス絶縁電気機器３から漏洩した絶縁ガス６を検出部１０により検出する検出器であり、具体的にはリークディテクターが挙げられる。
【００４６】
ガス漏洩検出器５は囲い３０ごとに設けられ、ガス漏洩検出器５の検出部１０は、囲い３０内に設置される。
【００４７】
このように構成される第３の実施形態に係るガス絶縁電気機器設備において、ガス絶縁電気機器３からの絶縁ガス６の漏洩が発生した場合、絶縁ガス６は空気よりも比重が大きいため、漏洩量が微量であっても囲い３０内に滞留する。
【００４８】
ガス漏洩検出器５の検出部１０が、絶縁ガス６が滞留する囲い３０内に設置されるため、漏洩量が微量であったとしてもガス絶縁電気機器３から漏洩した絶縁ガス６を早期に検出することが可能となる。
【００４９】
早期に絶縁ガス６の漏洩が検出可能となることで、ガス絶縁電気機器３の絶縁性能低下や地球温暖化の促進を防止することに繋がる。
【００５０】
また、囲い３０は建屋１の底面とガス絶縁電気機器３とが接する面を囲むように配置され、囲い３０ごとにガス漏洩検出器５が設けられるため、絶縁ガス６の漏洩発生箇所を推定することができる。
【００５１】
本発明のいくつかの実施形態について説明したが、これらの実施形態は、例として提示したものであり、発明の範囲を限定することは意図していない。これらの実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれる。
【符号の説明】
【００５２】
１…建屋
２…設置面
３…ガス絶縁電気機器
４…制御盤
５…ガス漏洩検出器
６…絶縁ガス
７…ガス絶縁開閉装置
８…ガス絶縁変圧器
９…母線
１０…検出部
２０…仕切り壁
２１ａ，２１ｂ，２１ｃ…区画
３０…囲い
４０…中央部
４１…最高部（または最低部）
【図１】
2014204516.tif 000003
【図２】
2014204516.tif 000004
【図３】
2014204516.tif 000005
【図４】
2014204516.tif 000006
【図５】
2014204516.tif 000007
【図６】
2014204516.tif 000008
【図７】
2014204516.tif 000009